(57)【特許請求の範囲】
【請求項１】
所定のディスクに対して情報の読出し、または、書き込みを行なうためのディスクドライブ装置であって、
ディスクドライブ本体の背面に設けられ、前記ディスクドライブ本体のマスタ／スレイブの設定を変えるための第１切り換えスイッチを備え、
前記ディスクドライブ本体のマスタ／スレイブの設定を変えるための第２切り換えスイッチおよび前記第２切り換えスイッチを覆うように配設される蓋部をロックするためのロック機構を１つのユニットに組み込んだ切り換えスイッチユニットを、前記ディスクドライブ本体の前面に配設して前記ディスクドライブ本体に接続する場合には、前記切り換えスイッチユニットにおける前記第２切り換えスイッチの操作が有効とされて、前記第１切り換えスイッチの操作は無効とされ、
前記切り換えスイッチユニットを設けない場合には、前記第１切り換えスイッチの操作が有効とされ、
前記切り換えスイッチユニットにおける前記ロック機構は、
互いに対向するように配設された１対の電磁石と、
前記蓋部に設けられた開口部と、
前記１対の電磁石の作用によりオン状態では前記開口部に挿通される位置に配置され、オフ状態では前記開口部に挿通されない位置に配置されるように、前記１つの電磁石のうちの一方の電磁石に設けられた突起部と
を含む、ディスクドライブ装置。
【請求項２】
所定のディスクに対して情報の読出し、または、書き込みを行なうためのディスクドライブ装置であって、
ディスクドライブ本体の背面に設けられ、前記ディスクドライブ本体のマスタ／スレイブの設定を変えるための第１切り換えスイッチを備え、
前記ディスクドライブ本体のマスタ／スレイブの設定を変えるための第２切り換えスイッチおよびオン状態において前記第２切り換えスイッチの操作を阻止するロック機構を１つのユニットに組み込んだ切り換えスイッチユニットを、前記ディスクドライブ本体の前面部に配設して前記ディスクドライブ本体に接続する場合には、前記切り換えスイッチユニットにおける前記第２切り換えスイッチの操作が有効とされて、前記第１切り換えスイッチの操作は無効とされ、
前記切り換えスイッチユニットを設けない場合には、前記第１切り換えスイッチの操作が有効とされる、ディスクドライブ装置。
【請求項３】
前記ロック機構は、
オン状態において前記第２切り換えスイッチを覆うように配設される覆い部と、
オン状態において前記覆い部が開くのを阻止する開閉阻止部と
を含む、請求項２記載のディスクドライブ装置。
【請求項４】
前記開閉阻止部は、
互いに対向するように配設された１対の電磁石と、
前記覆い部に設けられた開口部と、
前記１対の電磁石の作用によりオン状態では前記開口部に挿通され、オフ状態では前記開口部に挿通されないように前記１つの電磁石のうちの一方の電磁石に設けられた突起部と
を含む、請求項３記載のディスクドライブ装置。
【請求項５】
前記開閉阻止部は、前記覆い部の開閉を行なう駆動部を含む、請求項３記載のディスクドライブ装置。
【請求項６】
前記覆い部は透明の樹脂である、請求項３〜５のいずれかに記載のディスクドライブ装置。
【請求項７】
前記覆い部の近傍に動作時に点灯するアクセスランプが配置され、
前記アクセスランプの光が前記覆い部に導入される、請求項６記載のディスクドライブ装置。
【請求項８】
前記ロック機構は、前記第２切り換えスイッチを切り換える際のスイッチ本体の移動を阻止する、請求項２記載のディスクドライブ装置。
【請求項９】
前記ロック機構は、
前記スイッチ本体に設けられた１つの開口部と、
オン状態では前記開口部に挿通され、オフ状態では前記開口部に挿通されないように設けられた突起部と
を含む、請求項８記載のディスクドライブ装置。
【発明の詳細な説明】
【０００１】
【発明の属する技術分野】
本発明はディスクドライブ装置に関し、特に、マスタ／スレイブの切り替えスイッチを備えたディスクドライブ装置に関するものである。
【０００２】
【従来の技術】
パーソナルコンピュータにたとえばアプリケーションソフト等のデータをインストールしようとすれば、一般的に、ＣＤＲＯＭ（Compact Disc Read-Only Memory）等に書き込まれたそのアプリケーションソフト等を、パーソナルコンピュータに装備されたディスクドライブ装置によって読み込ませることによって行なわれる。
【０００３】
ディスクドライブ装置によって読み込まれたソフトは、パーソナルコンピュータ内に装備されたハードディスクドライブにインストールされることになる。
【０００４】
一方、ハードディスクに蓄積されたデータをたとえばＣＤ−Ｒ（Compact Disc-Recordable）に保存させたい場合には、ディスクドライブ装置によってＣＤ−Ｒにそのデータが書き込まれることになる。
【０００５】
このようにして、パーソナルコンピュータに装備されたディスクドライブ装置とハードディスクドライブとの間でデータのやり取りが行なわれることになる。
【０００６】
ところで、パーソナルコンピュータには、ハードディスクドライブに対して複数のディスクドライブ装置が装備されたものがある。このようなパーソナルコンピュータでは、各ディスクドライブ装置とハードディスクドライブと間のデータのやり取りに加えて、各ディスクドライブ装置間のデータのやり取りが円滑に行なわれるように、オペレーティングシステム（ＯＳ）によって管理制御されることになる。
【０００７】
特に、複数のディスクドライブが装備されたパーソナルコンピュータでは、複数のディスクドライブ装置のうち１つが主となるマスタに設定され、残りのディスクドライブ装置が従となるスレイブに設定されて使用される。
【０００８】
【発明が解決しようとする課題】
パーソナルコンピュータは、上述したようにオペレーティングシステムによって管理されている。ところが、このオペレーティングシステムのバージョンアップ等によって、各ディスクドライブ装置とハードディスクドライブと間のデータのやり取りや、各ディスクドライブ装置間のデータのやり取りが円滑に行なわれなくなることがある。
【０００９】
一般に、このような場合には、ソフトウェア的にパーソナルコンピュータ内の環境を整備することによって対処されるか、ディスクドライブ装置に設けられたマスタ／スレイブの切り換えスイッチを切り換えることによって対処される。
【００１０】
ソフトウェアによる手法は、たとえば特開２００１−１３５０１０号公報、特開平９−１４６７１３号公報または実開昭６１−７０２０１号公報等に開示されている。切り換えスイッチによる手法は、たとえば特開２０００−８１９７８号公報、特開２００２−２３９６５号公報または特開２００２−３２１９８号公報等に開示されている。
【００１１】
しかしながら、ソフトウェア的にマスタ／スレイブの切り換えを行う場合には、切り換え操作自体は容易であるものの、ディスクドライブ装置が現在マスタ状態にあるのかスレイブ状態にあるのか、その設定状態を直ちに確認することができないという問題があった。
【００１２】
一方、ディスクドライブ装置のマスタ／スレイブを切り換えスイッチによって切り換えようとすれば、図１４に示すように、ディスクドライブ装置１０２の背面に設けられた所定のジャンパスイッチ１０３を切り換えることになる。
【００１３】
図１５に示すように、ジャンパスイッチ１０３においては、複数のピン１０３ａに対して所定のピン同士が電気的に接続されるようにジャンパソケット１０３ｂが装着される。電気的に接続されるピン同士の組合せを変えることによって、ディスクドライブ装置１０２のマスタ／スレイブが切り換えられることになる。
【００１４】
しかしながら、このジャンパスイッチ１０３は、上記のようにディスクドライブ装置１０２の背面に設けられている。そのため、ディスクドライブ装置１０２のマスタ／スレイブの設定を切り換えようとすれば、パーソナルコンピュータ（図示せず）の筐体の蓋を開けて、ジャンパスイッチ１０３の設定を切り換える必要があった。しかも、このジャンパスイッチ１０３のジャンパソケット１０３ｂは非常に小さく、扱いに不便であった。
【００１５】
そのため、ジャンパソケット１０３ｂを抜いたり挿し込んだりする作業に手間を要し、ディスクドライブ装置１０２のマスタ／スレイブの設定の切り換えが容易に行なえないという問題があった。
【００１６】
本発明は上記問題点を解決するためになされたものであり、その目的はマスタ／スレイブの設定の切り換えが容易に行なわれるとともに、マスタ／スレイブの設定状態を直ちに確認することのできるディスクドライブ装置を提供することである。
【００１７】
【課題を解決するための手段】
本発明に係る一のディスクドライブ装置は、所定のディスクに対して情報の読出し、または、書き込みを行なうためのディスクドライブ装置であって、ディスクドライブ本体の背面に設けられ、ディスクドライブ本体のマスタ／スレイブの設定を変えるための第１切り換えスイッチを備えている。そして、ディスクドライブ本体のマスタ／スレイブの設定を変えるための第２切り換えスイッチおよびその第２切り換えスイッチを覆うように配設される蓋部をロックするためのロック機構を１つのユニットに組み込んだ切り換えスイッチユニットを、ディスクドライブ本体の前面に配設してディスクドライブ本体に接続する場合には、その切り換えスイッチユニットにおける第２切り換えスイッチの操作が有効とされて、第１切り換えスイッチの操作は無効とされる。一方、その切り換えスイッチユニットを設けない場合には、第１切り換えスイッチの操作が有効とされる。その切り換えスイッチユニットにおけるロック機構は蓋部をロックし、１対の電磁石と開口部と突起部とを含んでいる。１対の電磁石は、互いに対向するように配設されている。開口部は蓋部に設けられている。突起部は、１対の電磁石の作用によりオン状態では開口部に挿通される位置に配置され、オフ状態では開口部に挿通されない位置に配置されるように、１つの電磁石のうちの一方の電磁石に設けられている。
【００１８】
この構成によれば、ディスクドライブ本体の背面にディスクドライブ本体のマスタ／スレイブの設定を変えるための第１切り換えスイッチを備えたディスクドライブ装置において、ディスクドライブ本体のマスタ／スレイブの設定を変えるための第２切り換えスイッチとロック機構を１つのユニットに組み込んで切り換えスイッチユニットとして、ディスクドライブ本体の前面に配設してディスクドライブ本体に接続する場合には、第１切り換えスイッチの操作が無効とされる一方、第２切り換えスイッチの操作が有効とされて、前面においてマスタ／スレイブの設定状態を直ちに確認することができる。また、その第２切り換えスイッチがロック機構とともにユニット化されることで、切り換えスイッチユニットを既存のディスクドライブ装置の前面へ容易に配設することができる。さらに、オン状態では第２切り換えスイッチを覆う蓋部がロック機構によりロックされていることで、動作中に誤って切り換えスイッチが操作されることが防止される。一方、切り換えスイッチユニットを前面に設けない場合には、第１切り換えスイッチが有効とされる。
【００１９】
本発明に係る他のディスクドライブ装置は、所定のディスクに対して情報の読出し、または、書き込みを行なうためのディスクドライブ装置であって、ディスクドライブ本体の背面に設けられ、ディスクドライブ本体のマスタ／スレイブの設定を変えるための第１切り換えスイッチを備えている。そして、ディスクドライブ本体のマスタ／スレイブの設定を変えるための第２切り換えスイッチおよびオン状態においてその第２切り換えスイッチの操作を阻止するロック機構を１つのユニットに組み込んだ切り換えスイッチユニットを、ディスクドライブ本体の前面部に配設してディスクドライブ本体に接続する場合には、その切り換えスイッチユニットにおける第２切り換えスイッチの操作が有効とされて、第１切り換えスイッチの操作は無効とされる。一方、その切り換えスイッチユニットを設けない場合には、第１切り換えスイッチの操作が有効とされる。
【００２０】
この構成によれば、ディスクドライブ本体の背面にディスクドライブ本体のマスタ／スレイブの設定を変えるための第１切り換えスイッチを備えたディスクドライブ装置において、ディスクドライブ本体のマスタ／スレイブの設定を変えるための第２切り換えスイッチとその第２スイッチのオン状態での操作をロックするロック機構を１つのユニットに組み込んだ切り換えスイッチユニットを、ディスクドライブ本体の前面に配設してディスクドライブ本体に接続する場合には、第１切り換えスイッチの操作が無効とされる一方、第２切り換えスイッチの操作が有効とされて、前面においてマスタ／スレイブの設定状態を直ちに確認することができる。また、その第２切り換えスイッチがロック機構とともにユニット化されることで、切り換えスイッチユニットを既存のディスクドライブ装置の前面へ容易に配設することができる。さらに、オン状態では第２切り換えスイッチの操作がロック機構によりロックされていることで、動作中に誤って切り換えスイッチが操作されることが防止される。一方、切り換えスイッチユニットを前面に設けない場合には、第１切り換えスイッチが有効とされる。
【００２１】
より具体的に、ロック機構は、オン状態において切り換えスイッチを覆うように配設される覆い部と、オン状態において覆い部が開くのを阻止する開閉阻止部とを含むことが好ましい。
【００２２】
これにより、動作中では覆い部が開かないので、誤って切り換えスイッチが操作されるのを確実に防ぐことができる。
【００２３】
その開閉阻止部は、互いに対向するように配設された１対の電磁石と、覆い部に設けられた開口部と、１対の電磁石の作用によりオン状態では開口部に挿通され、オフ状態では開口部に挿通されないように１つの電磁石のうちの一方の電磁石に設けられた突起部とを含むことがより好ましい。
【００２４】
この場合には、動作に合わせて電磁石に電流を流すことで突起部が開口部に挿通されて、動作中に覆い部が開けられるのを確実に防ぐことができる。
【００２５】
また、開閉阻止部は、覆い部の開閉を行なう駆動部を含むことが好ましい。
この場合には、駆動部の駆動によって覆い部の開閉が行なわれることになり、一旦覆い部が閉じられた場合には駆動部を駆動させなければ覆い部が開けられないため、動作中に覆い部が開けられるのを確実に防ぐことができる。
【００２６】
さらに、覆い部は透明の樹脂であることが好ましい。
これにより、切り換えスイッチが覆い部によって覆われている状態でも、切り換えスイッチの設定の状態を容易に確認することができる。
【００２７】
さらに、覆い部の近傍に動作時に点灯するアクセスランプが配置され、そのアクセスランプの光が覆い部に導入されることが好ましい。
【００２８】
この場合には、ディスクドライブ本体が動作中であることが容易に確認できるとともに、この状態では切り換えスイッチを操作してはならず、覆い部を開けることができない状態であることも確認できる。
【００２９】
あるいは、ロック機構は、切り換えスイッチを切り換える際のスイッチ本体の移動を阻止することも好ましい。
【００３０】
この場合には、覆い部のような付加的に部品を設けることなく切り換えスイッチの操作を阻止することができる。
【００３１】
より具体的には、ロック機構は、スイッチ本体に設けられた１つの開口部と、オン状態では開口部に挿通され、オフ状態では開口部に挿通されないように設けられた突起部とを含むことが好ましい。
【００３２】
これにより、動作中には突起部が開口部に挿通されて切り換えスイッチが誤って操作されるのを防止することができる。
【００３５】
【発明の実施の形態】
本発明の実施の形態に係るディスクドライブ装置について説明する。図１に示すように、パーソナルコンピュータ１には、２台のディスクドライブ装置２と１台のハードディスクドライブ装置３が装備されている。各ディスクドライブ装置２とハードディスクドライブ装置３とはオペレーティングシステムにより管理されている。
【００３６】
そのディスクドライブ装置２について詳しく説明する。図２および図３に示すように、本ディスクドライブ装置２ではマスタ／スレイブの設定を切り換えるための切り換えスイッチ４がディスクドライブ装置２の前面パネルに配設されている。切り換えスイッチ４はケーブル２ｂによって内部の基板２ａと電気的に接続されている。
【００３７】
図４に示すように、その切り換えスイッチ４の前面には、切り換えスイッチ４を覆うように蓋５が配設されている。ディスクドライブ装置２の動作中に誤って蓋５が開けられて切り換えスイッチ４が切り換えられないように、蓋５には所定のロック機構が設けられている。ディスクドライブ装置２の動作中ではこのロック機構が働く。
【００３８】
一方、ディスクドライブ装置２が動作していない状態ではこのロック機構が解除されることになる。したがって、ディスクドライブ装置のマスタ／スレイブの設定の切り換えは、ディスクドライブ装置２が動作していない状態において蓋５を開けて行われることになる。
【００３９】
次に、ロック機構について具体的に説明する。図５および図６に示すように、蓋５には貫通孔５ａが設けられている。ディスクドライブ装置２の動作中ではロック機構６によってその貫通孔５ａにロック機構６の突起部８が挿通されることによって蓋５がロックされることになる。
【００４０】
図７に示すように、その突起部８は電磁石７ａによって支持され、その電磁石７ａの下方には他の電磁石７ｂが配設されている。この電磁石７ａ、７ｂはディスクドライブ装置のＯＮ・ＯＦＦ動作と連動して電流が流れる。
【００４１】
まず、ディスクドライブ装置２が動作していない状態では、図８に示すように、電磁石７ａ、７ｂ同士は互いに引き合って突起部８は蓋５の貫通孔５ａに挿通されない位置にある。この状態で蓋５を開けることができ、ディスクドライブ装置２のマスタ／スレイブの切り換えは、この状態で行なわれることになる。
【００４２】
一方、ディスクドライブ装置２が動作している間では、図９に示すように、電磁石７ａ、７ｂ同士が互いに反発し合って突起部８は蓋５の貫通孔５ａに挿通されることになる。これにより、蓋５を開けることができなくなり、ディスクドライブ装置２の動作中に誤って、切り換えスイッチ４が切り換えられることを防止することができる。
【００４３】
このように上述したディスクドライブ装置２によれば、マスタ／スレイブの切り換えスイッチ４がディスクドライブ装置２の前面パネルに配設されることによって、ディスクドライブ装置２が現在マスタの状態にあるのか、あるいはスレイブの状態にあるのか、その設定状態を直ちに確認することができる。
【００４４】
また、従来のディスクドライブ装置と比較するとジャンパソケットを扱う必要がなく、大幅にその切り換え操作が簡便になる。
【００４５】
さらに、切り換えスイッチ４を覆う蓋５を配設しロック機構６を設けることによって、ディスクドライブ装置２の動作中に誤って切り換えスイッチ４が切り換えられることを防止することができる。
【００４６】
上述したディスクドライブ装置２では、ディスクドライブ装置２の動作中に誤って切り換えスイッチ４が切り換えられることを防止するために、蓋５とその蓋５をロックするロック機構６を例に挙げて説明したが、次に、これらの変形例について説明する。
【００４７】
まず、図１０に示すように、ディスクドライブ装置２には切り換えスイッチ４の前面を覆うための透明のシャッタ９と、そのシャッタ９の開閉を行なうためのソレノイド１０が配設されている。
【００４８】
ディスクドライブ装置の動作中では切り換えスイッチ４が切り換えられないように、ソレノイド１０によってシャッタ９が上昇して閉じられる。一方、ディスクドライブ装置が動作していない間では、シャッタ９は下降した状態にあり、切り換えスイッチ４の切り換えが可能になる。
【００４９】
なお、シャッタ９をたとえば透明の樹脂にすることで、シャッタ９が閉じられた状態でも切り換えスイッチ４がマスタの状態であるのか、スレイブの状態にあるのかを容易に確認することができる。
【００５０】
また、図１１に示すように、切り換えスイッチ４を支持する支持板１１に、所定の２つの開口部１１ａ、１１ｂが設けられている。ディスクドライブ装置の動作中には、この２つの開口部１１ａ、１１ｂにはソレノイド１０の軸部１０ａが挿通されることで切り換えスイッチ４のスライド操作が阻止されて、切り換えスイッチ４のマスタまたはスレイブの状態が保持される。
【００５１】
たとえば、図１１に示される切り換えスイッチ４の状態がマスタの状態であれば、軸部１０ａが開口部１１ｂに挿通されることでマスタの状態が保持される。一方、切り換えスイッチ４を向かって左側にスライドさせた状態がスレイブの状態であれば、軸部１０ａが開口部１１ａに挿通されることでスレイブの状態が保持される。
【００５２】
なお、切り換えスイッチ４を覆う蓋として透明の樹脂からなるものを適用するとともに、その蓋５に対して図１２に示すように、発光ダイオード１２を近傍に配設するようにしてもよい。
【００５３】
この発光ダイオード１２は、アクセスランプとしてディスクドライブ装置２の動作中に発光するように設定しておくことで、この状態では蓋５がロックされた状態であることが容易にわかる。
【００５４】
また、背面にマスタ／スレイブの切り換えスイッチが設けられたディスクドライブ装置に対して、図１３に示すように、切り換えスイッチとロック機構を１つのユニットにまとめた切り換えスイッチユニット４４を、ディスクドライブ装置２の前面パネルに配設するようにしてもよい。
【００５５】
この切り換えスイッチユニット４４がケーブル２ｂを介して基板２ａに接続され場合には、この切り換えスイッチユニット４４の操作が有効とされて、背面の切り換えスイッチの操作は無効とされる。この場合、切り換えスイッチユニット４４は、ディスクドライブ装置２のフロントパネル２ｃを取り外すことによって配設されることになる。
【００５６】
一方、切り換えスイッチユニット４４を設けない場合には、ディスクドライブ装置の背面に設けられた切り換えスイッチの操作が有効になって、その背面の切り換えスイッチによってマスタ／スレイブの切り換えが行なわれることになる。
【００５７】
このように、切り換えスイッチをユニット化することによって、既存のディスクドライブ装置の前面パネルへの配設が容易になるとともに、ユニット化された切り換えスイッチが接続される場合では、この切り換えスイッチの操作が有効とされて、背面に設けられた既存の切り換えスイッチの操作を無効にすることができる。
【００５８】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００５９】
【発明の効果】
本発明に係る一のディスクドライブ装置によれば、ディスクドライブ本体の背面にディスクドライブ本体のマスタ／スレイブの設定を変えるための第１切り換えスイッチを備えたディスクドライブ装置において、ディスクドライブ本体のマスタ／スレイブの設定を変えるための第２切り換えスイッチとロック機構を１つのユニットに組み込んで切り換えスイッチユニットとして、ディスクドライブ本体の前面に配設してディスクドライブ本体に接続する場合には、第１切り換えスイッチの操作が無効とされる一方、第２切り換えスイッチの操作が有効とされて、前面においてマスタ／スレイブの設定状態を直ちに確認することができる。また、その第２切り換えスイッチがロック機構とともにユニット化されることで、切り換えスイッチユニットを既存のディスクドライブ装置の前面へ容易に配設することができる。さらに、オン状態では第２切り換えスイッチを覆う蓋部がロック機構によりロックされていることで、動作中に誤って切り換えスイッチが操作されることが防止される。一方、切り換えスイッチユニットを前面に設けない場合には、第１切り換えスイッチが有効とされる。
【００６０】
本発明に係る他のディスクドライブ装置によれば、ディスクドライブ本体の背面にディスクドライブ本体のマスタ／スレイブの設定を変えるための第１切り換えスイッチを備えたディスクドライブ装置において、ディスクドライブ本体のマスタ／スレイブの設定を変えるための第２切り換えスイッチとその第２スイッチのオン状態での操作をロックするロック機構を１つのユニットに組み込んだ切り換えスイッチユニットを、ディスクドライブ本体の前面に配設してディスクドライブ本体に接続する場合には、第１切り換えスイッチの操作が無効とされる一方、第２切り換えスイッチの操作が有効とされて、前面においてマスタ／スレイブの設定状態を直ちに確認することができる。また、その第２切り換えスイッチがロック機構とともにユニット化されることで、切り換えスイッチユニットを既存のディスクドライブ装置の前面へ容易に配設することができる。さらに、オン状態では第２切り換えスイッチの操作がロック機構によりロックされていることで、動作中に誤って切り換えスイッチが操作されることが防止される。一方、切り換えスイッチユニットを前面に設けない場合には、第１切り換えスイッチが有効とされる。
【００６１】
より具体的に、ロック機構は、オン状態において切り換えスイッチを覆うように配設される覆い部と、オン状態において覆い部が開くのを阻止する開閉阻止部とを含むことが好ましく、これにより、動作中では覆い部が開かないので、誤って切り換えスイッチが操作されるのを確実に防ぐことができる。
【００６２】
その開閉阻止部は、互いに対向するように配設された１対の電磁石と、覆い部に設けられた開口部と、１対の電磁石の作用によりオン状態では開口部に挿通され、オフ状態では開口部に挿通されないように１つの電磁石のうちの一方の電磁石に設けられた突起部とを含むことがより好ましく、この場合には、動作に合わせて電磁石に電流を流すことで突起部が開口部に挿通されて、動作中に覆い部が開けられるのを確実に防ぐことができる。
【００６３】
また、開閉阻止部は、覆い部の開閉を行なう駆動部を含むことが好ましく、この場合には、駆動部の駆動によって覆い部の開閉が行なわれることになり、一旦覆い部が閉じられた場合には駆動部を駆動させなければ覆い部が開けられないため、動作中に覆い部が開けられるのを確実に防ぐことができる。
【００６４】
さらに、覆い部は透明の樹脂であることが好ましく、これにより、切り換えスイッチが覆い部によって覆われている状態でも、切り換えスイッチの設定の状態を容易に確認することができる。
【００６５】
さらに、覆い部の近傍に動作時に点灯するアクセスランプが配置され、そのアクセスランプの光が覆い部に導入されることが好ましく、この場合には、ディスクドライブ本体が動作中であることが容易に確認できるとともに、この状態では切り換えスイッチを操作してはならず、覆い部を開けることができない状態であることも確認できる。
【００６６】
あるいは、ロック機構は、切り換えスイッチを切り換える際のスイッチ本体の移動を阻止することも好ましく、この場合には、覆い部のような付加的に部品を設けることなく切り換えスイッチの操作を阻止することができる。
【００６７】
より具体的には、ロック機構は、スイッチ本体に設けられた１つの開口部と、オン状態では開口部に挿通され、オフ状態では開口部に挿通されないように設けられた突起部とを含むことが好ましく、これにより、動作中には突起部が開口部に挿通されて切り換えスイッチが誤って操作されるのを防止することができる。
【図面の簡単な説明】
【図１】  本発明の実施の形態に係るディスクドライブ装置の斜視図である。
【図２】  同実施の形態において、ディスクドライブ装置の内部を示す上面図である。
【図３】  同実施の形態において、ディスクドライブ装置の正面図である。
【図４】  同実施の形態において、ディスクドライブ装置に配設された切り換えスイッチを示す平面図である。
【図５】  同実施の形態において、ディスクドライブ装置に配設された切り換えスイッチおよびロック機構を示す側面図である。
【図６】  同実施の形態において、図５に示される蓋を示す部分拡大斜視図である。
【図７】  同実施の形態において、ロック機構の構造を示す側面図である。
【図８】  同実施の形態において、ロック機構の動作を説明するための第１の側面図である。
【図９】  同実施の形態において、ロック機構の動作を説明するための第２の側面図である。
【図１０】  同実施の形態において、切り換えスイッチおよびロック機構の一変形例を示す斜視図である。
【図１１】  同実施の形態において、切り換えスイッチおよびロック機構の他の変形例を示す斜視図である。
【図１２】  同実施の形態において、切り換えスイッチを覆う蓋の変形例を示す図である。
【図１３】  同実施の形態において、切り換えスイッチおよびロック機構のさらに他の変形例を示す斜視図である。
【図１４】  従来のディスクドライブ装置を示す斜視図である。
【図１５】  従来のディスクドライブ装置における切り換えスイッチを示す斜視図である。
【符号の説明】
１  パーソナルコンピュータ、２  ディスクドライブ装置、２ａ  基板、２ｂケーブル、２ｃ  フロントパネル、３  ハードディスクドライブ、４  切り換えスイッチ、４４  切り換えスイッチユニット、５  蓋、５ａ  貫通孔、６  ロック機構、７ａ、７ｂ  電磁石、８  突起部、９  シャッタ、１０  ソレノイド、１１  切り換えスイッチ支持板、１１ａ、１１ｂ  開口部、１２  発光ダイオード。
【図１】
0003674609.tif 000002
【図２】
0003674609.tif 000003
【図３】
0003674609.tif 000004
【図４】
0003674609.tif 000005
【図５】
0003674609.tif 000006
【図６】
0003674609.tif 000007
【図７】
0003674609.tif 000008
【図８】
0003674609.tif 000009
【図９】
0003674609.tif 000010
【図１０】
0003674609.tif 000011
【図１１】
0003674609.tif 000012
【図１２】
0003674609.tif 000013
【図１３】
0003674609.tif 000014
【図１４】
0003674609.tif 000015
【図１５】
0003674609.tif 000016